(57)【要約】【課題】箸袋から取出した爪楊枝が指に刺さらなく、爪楊枝を取出しの際に紛失や落下させてしまうことがなく、且つ、低コストで容易にリサイクル可能な箸を提供する。【解決手段】プラスチック製の箸１の第１箸部材１Ａの頭部１ＡＴ側の掴持部１ＡＨには、当該掴持部１ＡＨを貫通する溝部２が箸１の長手方向に沿って配設されている。プラスチック製の爪楊枝３は、溝部２内に配設されたプラスチック製の第１乃至第３突部４，５，６との結合により３点支持された安定状態に於いて、溝部２内に配設されている。爪楊枝３の取出しに関しては、第１箸部材１Ａの頭部１ＡＴ側の両側面側に設けられた窪み部１ＣＡ，１ＣＢに手の指を入れて指の引き出す力で上記３点支持を成す結合を切り離すことで、容易に爪楊枝３を第１箸部材１Ａの溝部２から取出すことが出来る。連結部７もまたプラスチック製である。箸１は、合成樹脂を用いた射出成形により製作される。【選択図】図２
2013198585.tif 000002
【特許請求の範囲】
【請求項１】
全体がプラスチックより成る第１箸部材と、
全体が前記プラスチックより成る第２箸部材と
を備え、
前記第１箸部材及び前記第２箸部材の何れか一方の箸部材は、
前記一方の箸部材の頭部側に位置する把持部に於ける最上面の部分より前記最上面に対向する前記把持部に於ける最下面の部分に至るまで前記把持部を貫通し且つ前記一方の箸部材の前記頭部から前記一方の箸部材の先端部に向かう長手方向に沿って延在している溝部と、
前記溝部の前記一方の箸部材の前記頭部側の第１端面上に配設されたプラスチック製の第１突部と、
前記溝部の前記第１端面と前記一方の箸部材の前記先端部側の前記溝部の第２端面間に位置する前記溝部の第１側面上に配設されたプラスチック製の第２突部と、
前記溝部の前記第１側面に対向する前記溝部の第２側面上に配設されたプラスチック製の第３突部と、
前記第１突部と結合した頭部と、その一部が前記第２突部と結合し且つその他部が前記第３突部と結合した側面部と、前記溝部の前記第２端面にその間の隙間を介して対向した先端部とを備えると共に、前記第１突部、前記第２突部及び前記第３突部の各々との結合により３点支持された状態に於いてその全体が前記溝部の内部に配設されているプラスチック製の爪楊枝と
を備えることを特徴とする箸。
【請求項２】
請求項１に記載の箸であって、
前記一方の箸部材は、
前記一方の箸部材の前記最上面と前記最下面とを繋ぐ第３側面部と、
前記一方の箸部材の前記最上面と前記最下面とを繋ぎ且つ前記一方の箸部材の前記第３側面部と対向する第４側面部と、
前記第３側面部の内で前記把持部に於ける前記最上面側の部分が、前記爪楊枝の前記側面部の内で前記爪楊枝の前記頭部側の第１部分が前記第３側面部の前方側から前記一方の箸部材を眺めた際に露出するまで、窪んで成る第１凹部と、
前記第４側面部の内で前記把持部に於ける前記最上面側の部分が、前記爪楊枝の前記側面部の内で前記第１部分に対向する側の第２部分が前記第４側面部の前方側から前記一方の箸部材を眺めた際に露出するまで、窪んで成る第２凹部と
を備えることを特徴とする箸。
【請求項３】
請求項２に記載の箸であって、
前記第１箸部材の頭部側部分と前記第２箸部材の頭部側部分とを繋ぐプラスチック製の連結部を
更に備えることを特徴とする箸。
【請求項４】
請求項３に記載の箸であって、
前記第１箸部材及び前記第２箸部材の各々の縦断面形状の各角部が斜め形状又はＲ形状の何れか一方の形状を有する
ことを特徴とする箸。
【請求項５】
請求項１乃至４の何れか１項に記載の箸であって、
前記第１箸部材及び前記第２箸部材の内の他方の箸部材は、
前記他方の箸部材の頭部側に位置する把持部に於ける最上面の部分に設けられた貫通又は非貫通の何れかの状態の溝部を
備えることを特徴とする箸。
【請求項６】
請求項１乃至４の何れか１項に記載の箸であって、
前記第１箸部材及び前記第２箸部材の内の他方の箸部材は、
側面部に設けられた複数の非貫通の穴部を
備えることを特徴とする箸。
【請求項７】
請求項１乃至４の何れか１項に記載の箸であって、
前記一方の箸部材の前記先端部及び他方の箸部材の先端部は、共に、
非貫通の複数の窪み部を
備えることを特徴とする箸。
【請求項８】
請求項２に記載の前記箸の前記一方の箸部材の前記第１凹部及び前記第２凹部の各々に手の対応する指先部をそれぞれ挿入して前記指先部で請求項１に記載の前記爪楊枝の表面を掴み、その状態に於いて、両指先部の力により前記爪楊枝と前記第１突部との結合、前記爪楊枝と前記第２突部との結合及び前記爪楊枝と前記第３突部との結合を切り離す工程と、
前記一方の箸部材の前記溝部から前記爪楊枝を取り出す工程と
を備えたことを特徴とする箸の取り扱い方法。
【請求項９】
全体がプラスチックより成る第１箸部材と、
全体が前記プラスチックより成る第２箸部材と
を備えた、リサイクルのために回収された使用済みの箸であって、
前記第１箸部材及び前記第２箸部材の何れか一方の箸部材は、
前記一方の箸部材の頭部側に位置する把持部に於ける最上面の部分より前記最上面に対向する前記把持部に於ける最下面の部分に至るまで前記把持部を貫通し且つ前記一方の箸部材の前記頭部から前記一方の箸部材の先端部に向かう長手方向に沿って延在している溝部と、
前記溝部の前記一方の箸部材の前記頭部側の第１端面上に配設されたプラスチック製の第１突部と、
前記溝部の前記第１端面と前記一方の箸部材の前記先端部側の前記溝部の第２端面間に位置する前記溝部の第１側面上に配設されたプラスチック製の第２突部と、
前記溝部の前記第１側面に対向する前記溝部の第２側面上に配設されたプラスチック製の第３突部と
を備えることを特徴とする箸。
【発明の詳細な説明】
【技術分野】
【０００１】
本発明は、爪楊枝と一体化された箸の構造に関する。
【背景技術】
【０００２】
現在、コンビニーエンス・ストア等で販売されている弁当の商品には、箸（割り箸）と爪楊枝とがセットとなってその中に入れられている箸袋が、セロハンテープの接着等により、備え付けられている。この事実は、刊行物等で証明するまでも無い、広く世に知られた既知の事実である。
【先行技術文献】
【特許文献】
【０００３】
【特許文献１】特開２０１１−８３５０６号公報
【特許文献２】特開２０１０−７５６４３号公報
【特許文献３】特開２００９−２７３８３９号公報
【特許文献４】特開２００３−４７５５０号公報
【特許文献５】特開２００２−３０６３０３号公報
【特許文献６】特開平１１−３４２０５９号公報
【特許文献７】実用新案登録第３１３８９５９号公報
【特許文献８】特開平９−２５２９１１号公報
【発明の概要】
【発明が解決しようとする課題】
【０００４】
１）爪楊枝は、その先端が尖った形状を有する。そのため、箸袋の表面には、通常、その中に入っている箸を取り出す際に、箸と一緒に又は別個に爪楊枝が当該箸袋から飛び出す場合があるので、開封時にその尖った先端が人の指先に刺さったりしないように、爪楊枝の取り扱いについて注意書きが箸袋に表示されているのが、常である。この様に、箸袋の中に、箸と共に爪楊枝が挿入されている点は、一面では、弁当の食用時には非常に便利ではあるが、他面では、爪楊枝が指先に刺さり易いという危険性も潜在している。
【０００５】
２）又、爪楊枝が箸と共に箸袋の中に挿入されているため、箸の取り出しの際に、爪楊枝も箸袋から飛び出して、当該爪楊枝を地面等に落としてしまって、汚れにより当該爪楊枝を使用することが出来なくなる場合が発生する。或いは、落とした爪楊枝を見失ってしまう場合も、多々、発生する。何れにしても、細長い箸袋から、箸に対して相対的に小さく且つ短い形状の爪楊枝を取り出す作業は、煩わしい作業である。
【０００６】
３）更に、箸も爪楊枝も木から作られており、且つ、使用後はそのまま捨てられてしまい、リサイクルが容易ではない。又、使用後の箸及び爪楊枝を回収したとしても、その後のリサイクルによる利用がコスト面を考えても容易ではない。この様な箸及び爪楊枝のリサイクル不可の事情により、これらの物を新たに製造するには、木材から加工して作り出すために、原料の供給として、森林の木材が伐採されてしまうのであり、この事実は、地球の自然環境の保護の観点から見た場合には好ましいことであるとは言えない。
【０００７】
この発明は、これらの問題点を一挙に解決してしまうべく成されたものであり、その主目的は、箸袋の開封時に爪楊枝の先端が指に刺さったりする危険性を無くし、且つ、開封時に爪楊枝を落としたり又は見失しなったりすることをも防止し、併せて、容易にリサイクルが可能な地球環境に対して優しい特質を備える箸の提供にある。
【課題を解決するための手段】
【０００８】
本発明の主題に係る箸は、全体がプラスチックより成る第１箸部材と、全体が前記プラスチックより成る第２箸部材とを備え、前記第１箸部材及び前記第２箸部材の何れか一方の箸部材は、前記一方の箸部材の頭部側に位置する把持部に於ける最上面の部分より前記最上面に対向する前記把持部に於ける最下面の部分に至るまで前記把持部を貫通し且つ前記一方の箸部材の前記頭部から前記一方の箸部材の先端部に向かう長手方向に沿って延在している溝部と、前記溝部の前記一方の箸部材の前記頭部側の第１端面上に配設されたプラスチック製の第１突部と、前記溝部の前記第１端面と前記一方の箸部材の前記先端部側の前記溝部の第２端面間に位置する前記溝部の第１側面上に配設されたプラスチック製の第２突部と、前記溝部の前記第１側面に対向する前記溝部の第２側面上に配設されたプラスチック製の第３突部と、前記第１突部と結合した頭部と、その一部が前記第２突部と結合し且つその他部が前記第３突部と結合した側面部と、前記溝部の前記第２端面隙間を介して対向した先端部とを備えると共に、前記第１突部、前記第２突部及び前記第３突部の各々との結合により３点支持された状態に於いてその全体が前記溝部の内部に配設されているプラスチック製の爪楊枝とを備えることを特徴とする。
【発明の効果】
【０００９】
本発明の主題によれば、ア）箸袋を開封した上で箸を取り出す際に、爪楊枝の先端が指に突き刺さるような事態は発生し得ない。しかも、イ）開封時に、爪楊枝が箸から分離して落下することは構造上あり得ないので、爪楊枝を汚して使えなくなったりすることも無く且つ爪楊枝を見失ってしまうことも無い。その上、ウ）箸及び爪楊枝が共にプラスチックから成るので、使用後の箸及び爪楊枝を回収してリサイクル化を図ることも容易であると言える。
【００１０】
以下、本発明の様々な具体化を、添付図面を基に、その効果・利点と共に、詳述する。
【図面の簡単な説明】
【００１１】
【図１】（ａ）本発明の実施の形態１に係る箸の正面図、（ｂ）（ａ）に示す矢印の方から当該箸を眺めた際の当該箸の左側側面図である。
【図２】本発明の実施の形態１に係る箸の溝部の構成と、当該溝部内の各凸部と爪楊枝との結合状態とを示す拡大正面図である。
【図３】本発明の実施の形態１に係る、爪楊枝と一体化された状態での箸の構成を示す斜視図である。
【図４】本発明の実施の形態１に係る箸の一方の箸部材の溝部から取り出された際の爪楊枝を示す拡大正面図である。
【図５】爪楊枝が取り外された後の本発明の実施の形態１に係る箸の構造を当該箸の背面側から示す斜視図である。
【図６】箸の第１箸部材及び第２箸部材の各々の縦断面形状を模式的に示す断面図である。
【図７】箸の第２箸部材の上面形状を模式的に示す正面図である。
【発明を実施するための形態】
【００１２】
（実施の形態１）
【００１３】
本実施の形態の要点は、箸及び爪楊枝が共にプラスチックから成り、射出成形により一体化されている点にある。その一体化の形態は、箸の一方の箸部材の頭部側の握持部に箸の長手方向に沿って形成されている貫通溝部内に、３個のプラスチックから成る突部によって３点支持された爪楊枝が配設されていることにより、実現されている。以下、本実施の形態に係る箸の構造及び利点に関して、図面を参照しつつ、詳述する。
【００１４】
＜プラスチック製の爪楊枝と一体化されたプラスチック製の箸の構成＞
【００１５】
先ず、図１（ａ）は、本実施の形態（以下「本例」ともいう。）に係る箸の全体構成を示す正面図である。又、図１（ｂ）は、図１（ａ）の矢印ＡＲ側から図１（ａ）の箸を眺めた際の当該箸の左側面の構成を示す図である。
【００１６】
又、図２は、図１（ａ）に示す箸の頭部側の構成を局所的に拡大化して示す正面図である。更に、図３は、図１（ａ）に示す箸の構成を示す斜視図である。
【００１７】
以上の図面（図１、図２、図３）に於いては、箸は、爪楊枝と一体化された状態にあり、爪楊枝を使用する前の段階での本実施の形態に係る箸の構成が各図に示されている。
【００１８】
図１乃至図３に例示される様に、箸１は、大要、本例では「一方の箸部材」を成す第１箸部材１Ａと、本例では「他方の箸部材」を成す第２箸部材１Ｂとを備える。第１箸部材１Ａは、全体的に、プラスチック（合成樹脂）より成る。同様に、第２箸部材１Ｂは、全体的に、プラスチック（合成樹脂）より成る。第１箸部材１Ａ及び第２箸部材１Ｂは、共に、従来の木材から成る箸と同様に、頭部１ＡＴ，１ＢＴから先端部１ＡＥＰ，１ＢＥＰに向けて次第に細くなっていくテーパー形状を成している。本例では、実用面に於いて好ましい例として、図１に示す第１箸部材１Ａの上面側から見た場合の幅寸法ＷＡは、第２箸部材１Ｂの上面側から見た場合の幅寸法ＷＢと、同一である。勿論、幅寸法ＷＡと幅寸法ＷＢとは、互いに異なる寸法であっても良い。
【００１９】
尚、「他方の箸部材」を成す第２箸部材１Ｂは、それがプラスチック製品であって、後述する連結部７を介して第１箸部材１Ａと一体成形化される物である点及び第１箸部材１Ａと同様に特異な縦断面形状を有する点を除いて、特別な特徴部を備えるものではない。即ち、第２箸部材１Ｂは、後述する様な貫通溝部を有してはおらず、木材より成る割り箸の箸部材の通常の形状と同様の形状を有する。
【００２０】
本例に於いて、「一方の箸部材」を成す第１箸部材１Ａは、その頭部１ＡＴ側に位置する、使用時には掌及び全指により掴まれる部分である把持部１ＡＨの部分に形成・配設された溝部２を有する。即ち、溝部２は、第１箸部材１Ａの内で、頭部１ＡＴ側の把持部１ＡＨに於ける最上面１ＵＳの部分より、頭部１ＡＴ側の把持部１ＡＨに於ける、最上面１ＵＳに対向する最下面１ＬＳの部分に至るまで、把持部１ＡＨを貫通している。そして、溝部２は、第１箸部材１Ａの頭部１ＡＴから第１箸部材１Ａの先端部１ＡＥＰに向かう長手方向ＬＤに沿って延在している。図１及び図２に於いて明示されている様に、第１箸部材１Ａの頭部１ＡＴの幅寸法ＷＡ及び溝部２が配設される把持部１ＡＨの部分の幅寸法は、何れも溝部２の幅寸法よりも大きい。
【００２１】
又、図１及び図２に明示されている通り、プラスチック製の第１突部４が、溝部２の両端面の内で、第１箸部材１Ａの頭部１ＡＴ側の第１端面２ＥＡ上に配設されている。本例では、第１突部４の縦断面形状は、略台形状であるが、基本的には任意形状である。そして、第１突部４の先端部は、プラスチック製の爪楊枝３の頭部３Ｔに結合されている。
【００２２】
又、プラスチック製の第２突部５は、溝部２の第１端面２ＥＡと、第１箸部材１Ａの先端部１ＡＥＰ側の溝部２の第２端面２ＥＢとの間に位置する溝部２の第１側面２ＳＡ上に配設されている。本例では、後述する窪んだ形状の第１凹部１ＣＡの先端部１ＡＥＰ側の端部近傍の第１側面２ＳＡの部分上に、第２突部５は設けられている。本例では、第２突部５の縦断面形状は、略台形状であるが、基本的には任意形状である。そして、第２突部５の先端部は、爪楊枝３の側面部３Ｓの内で溝２の第１側面２ＳＡ側に面した部分に結合されている。
【００２３】
又、プラスチック製の第３突部６は、溝部２の第１端面２ＥＡと、第１箸部材１Ａの先端部１ＡＥＰ側の溝部２の第２端面２ＥＢとの間に位置する溝部２の第２側面２ＳＢ上に配設されている。溝部２の第２側面２ＳＢは、溝部２の第１側面２ＳＡに対向する側面である。本例では、後述する窪んだ形状の第２凹部１ＣＢの先端部１ＡＥＰ側の端部近傍の第２側面２ＳＢの部分上に、第３突部６は設けられている。本例では、爪楊枝３を安定して３点支持する際の好ましい一例として、第３突部６は第２突部５に対向している。但し、第２突部５の配設位置に対する第３突部６の配設位置は、本例に限定されるものではなくて相対的であって、第２側面２ＳＢ中のその他の部分に第３突部６が配設されていても良い。本例では、第３突部６の縦断面形状は、略台形状であるが、基本的には任意形状である。そして、第３５の先端部は、爪楊枝３の側面部３Ｓの内で溝２の第２側面２ＳＢ側に面した部分に結合されている。
【００２４】
以上の３つの突部４，５，６の各々と爪楊枝３との結合により、爪楊枝３の全体は、安定した３点支持の状態に於いて、溝部２内に完全に配設されている。よって、爪楊枝３は溝部２より突出してはいないので、爪楊枝３を取出さない態様に於いて人が箸１を使用していても、爪楊枝３がその人の手の指又は掌に接触することはない。
【００２５】
又、爪楊枝３は、溝部２内に完全に配設された状態に於いて、溝部２の第２端面２ＥＢにその間の隙間を介して対向した先端部３Ｅを有する。
【００２６】
又、「一方の箸部材」を成す第１箸部材１Ａは、当該第１箸部材１Ａの最上面１ＵＳと最下面１ＬＳとを繋ぐ第３側面部１ＡＳＳを有する。同様に、第１箸部材１Ａは、当該第１箸部材１Ａの最上面１ＵＳと最下面１ＬＳとを繋ぎ、且つ、第１箸部材１Ａの第３側面部１ＡＳＳと対向する第４側面部１ＡＳＳＳを有する。
【００２７】
更に、図３に明示される様に、第１箸部材１Ａは、窪んで成る第１凹部１ＣＡ及び当該第１凹部１ＣＡに対向する第２凹部１ＣＢを有する。
【００２８】
この窪んで成る第１凹部１ＣＡは、第３側面部１ＡＳＳの内で把持部１ＡＨに於ける最上面１ＵＳ側の部分が、爪楊枝３の上記側面部３Ｓの内で爪楊枝３の頭部３Ｔ側の第１部分３ＳＡが第３側面部１ＡＳＳの前方側から第１箸部材１Ａを眺めた際に露出するまで、窪んで成る凹部である。
【００２９】
又、窪んで成る第２凹部１ＣＢは、図３に明示される様に、第４側面部１ＡＳＳＳの内で把持部１ＡＨに於ける最上面１ＵＳ側の部分が、爪楊枝３の側面部３Ｓの内で第１部分３ＳＡに対向する側の第２部分３ＳＢが第４側面部１ＡＳＳＳの前方側から第１箸部材１Ａを眺めた際に露出するまで、窪んで成る凹部である。
【００３０】
又、箸１は、図２に明示される様に、第１箸部材１Ａの第２側面１ＡＳＳＳの内で頭部１ＡＴ側寄りの部分と、第２箸部材１Ｂの第２側面１ＡＳＳＳに対向する側面の内で頭部１ＢＴ側寄りの部分とを互いに繋ぐプラスチック製の連結部７を有する。この連結部７の存在により、第１箸部材１Ａと第２箸部材１Ｂとは互いに連結されて、一対の箸部材よりなる箸１が、構成される。
【００３１】
又、図６の（ａ）に示す様に、第１箸部材１Ａ及び第２箸部材１Ｂの各々の縦断面形状の各角部は、斜線ないしは斜め形状面ＣＬ１，ＣＬ２，ＣＬ３，ＣＬ４を有する。各箸部材１Ａ，１Ｂの縦断面形状を、この様な８角形の縦断面形状に設定することで、第１箸部材１Ａ及び第２箸部材１Ｂの各々を射出成形により成形する際のプラスチックの量を軽減化することが出来、箸１の成形コストの削減化を図ることが可能となる。箸１本の成形の場合には、何１０銭のレベルでの価格競争、即ち、低コスト化が問題となるので、図６（ａ）に示される形状は上記の様な低コスト化対策にとって有効であり、好ましい実施態様といえる。しかも、図６（ａ）に示される形状では、第１箸部材１Ａ及び第２箸部材１Ｂの一体結合が割かれた後の箸１の各箸部材１Ａ，１Ｂの上記掴持部を手の指で掴んで箸１を使用する場合に、各箸部材１Ａ，１Ｂの両側面部の各々は鉛直方向に延びた平坦な平面部ＦＰ１，ＦＰ２を有するので、その平坦部ＦＰ１，ＦＰ２が持ち手及びその手の各指に当たっても、箸１の使用者は、何等かの違和感を認識しないという実用的な利点も得られる。更に、連結部７の配設が、連結部７と各箸部材部の対応する平坦部との面接触により行われるので、当該配設が容易に実現され、且つ、安定した堅固な状態となる。勿論、箸部材の縦断面形状は、任意形状であって、図６の（ａ）に示すような形状に限定されるものではない。例えば、図６の（ｂ）に例示する様に、箸部材の縦断面形状が６角形の様な形状としても良い。この場合には、箸部材の形成に用いるプラスチックの使用量をより一層に減らすことが出来るので、箸の低コスト化をより一層促進させることが出来るという利点がある。更に、図６の（ｃ）に例示する様に、図６の（ｂ）の構造の各角部をＲ状に丸く滑らかに形成することとしても良い。箸１の縦断面構造の各角部が滑らかに削られて成るＲ状部Ｒ１，Ｒ２，Ｒ３，Ｒ４，Ｒ５、Ｒ６を設けることは、更なる箸１の低コスト化を促進させることに成る。しかも、この場合には、箸１を使用する際に、各Ｒ状部Ｒ１，Ｒ２，Ｒ３，Ｒ４，Ｒ５、Ｒ６の各々と持ち手の対応する指との接触は滑らかになるので、図６の（ｃ）の形状の採用に於いても、箸１の使用者は、使用時に何等かの違和感を認識しないという利点が得られる。更に、図６の（ｃ）の構造では、各箸部材１Ａ，１Ｂと連結部７との接触乃至は連結も、接触部分が図６の（ｂ）の構造と比較して多くなるので、容易に且つ安定して実現することが出来る。
【００３２】
＜箸１の更なる低コスト化の実現＞
箸１の他方の第２箸部材１Ｂの構造を変形修正して、箸１全体のコストの更なる低減化を推し進めることが可能である。
【００３３】
図７は、その様な提案の一例を示す、第２箸部材１Ｂの模式的な正面図である。図７に於いて、箸１の第２箸部材１Ｂの頭部１ＢＴ側の掴持部１ＢＨの上面１ＢＵＳには、複数の非貫通の溝部１ＢＲが配設されている。同様に、箸１の第２箸部材１Ｂの掴持部１ＢＨの下面１ＢＬＳにも、複数の非貫通の溝部が設けられても良い。或いは、非貫通の溝部１ＢＲを、上下面を貫通する貫通溝部に変形しても良い。更に、箸１の第２箸部材１Ｂの側面には、複数の、滑らかに窪んだ凹部ないいしは非貫通の穴部１ＢＣＨが配設されている。この穴部１ＢＣＨの構成は、箸１の第１箸部材１Ａに対しても適用可能である。これらの構造１ＢＲ，１ＢＣＨの採用により、プラスチック製の箸１の全体の重みを軽量化して、箸１の低コスト化を更に推し進めることが出来る。
【００３４】
又、図７に例示する様に、箸１の第２箸部材１Ｂの先端１ＢＥＰとその周辺部とより成るテーパー状の先端部に、複数の浅く窪んだ溝部１ＢＥＲを設けても良い。或いは、箸１の第１箸部材１Ａの先端部にも、溝部１ＢＥＲと同様な複数の浅く窪んだ溝部（図示せず。）を設けても良い。これらの構造が、箸１の重さの軽量化を推し進めて、結果として、プラスチック製の箸１全体のコスト削減化を推進する。又、複数の溝部１ＢＥＲが各箸部材の先端部に設けられているため、掴んだ物が各先端部の各溝部１ＢＥＲに嵌り込むので、箸１で物を掴み易く成るという利点も得られる。
【００３５】
＜箸１の取り扱い方法＞
次に、図２及び図４を参照しつつ、図１乃至図３に例示した箸１の取扱い方法ないしは使用方法について、記載する。
【００３６】
箸１の取扱い方法又は使用方法としては、以下に記載する様に、２通りの方法がある。
【００３７】
その第１としては、箸１は一体化された各部１Ａ，１Ｂ，３を有するので、人は食事をする際に、箸袋（図示せず。）より簡単に箸１を取出すことが出来る。そして、食事をする人は、先ず、箸１の第１箸部材１Ａより溝部２内にある爪楊枝３を容易に取出し、その後に、箸１に対して外側に引っ張る力を加えることで、第１箸部材１Ａと第２箸部材１Ｂとを別々に分離する。その後、人は、互いに分離された第１箸部材１Ａ及び第２箸部材１Ｂを使用して食事をし、食べ終わった後に、食事前に既に箸１から分離しておいた爪楊枝３を使用する。その後は、各部材１Ａ，１Ｂ，３は、廃棄物として、ゴミ箱等に捨て去れる。
【００３８】
その第２としては、食事をする人は、先ず、箸袋（図示せず。）より簡単に取出した箸１に対して外側へ引っ張る力を加えることで容易に第１箸部材１Ａ及び第２箸部材１Ｂを互いに分離する。その次に、人は、爪楊枝３が溝部２内に配設された状態にある第１箸部材１Ａと、第２箸部材１Ｂとを把持して食事をする。その際、既述した通り、爪楊枝３は溝部２内にあり溝部２から突出してはいないので、第１箸部材１Ａが爪楊枝３を有していても、違和感無く、人は両部１Ａ，１Ｂを使用して食事をすることが出来る。そして、人は、食事の終了後に、第１箸部材１Ａの溝部２の内部にある爪楊枝３を後記の通りの方法で溝部２から取出して、第１箸部材１Ａより分離された爪楊枝３を使用して食後の口内の清掃をする。その後は、上記の第１と同様に、各部材１Ａ，１Ｂ，３は、廃棄物として、ゴミ箱等に捨て去れる。
【００３９】
以下に、上記の第１の方法と第２の方法とに於いて共通した箸１の取扱い方法を記載する。
【００４０】
先ず、箸１を用いて食事をする人は、箸１の第１箸部材１Ａの第１凹部１ＣＡ及び第２凹部１ＣＢの各々に手の対応する指先部をそれぞれ挿入して爪楊枝３を掴んだ上で、外側へ爪楊枝３を引き出す様に力を箸１に加える。この両指先部の力により、人は、爪楊枝３と第１突部４との第１結合、爪楊枝３と第２突部５との第２結合及び爪楊枝３と第３突部６との第３結合を切り離す。
【００４１】
次に、人は、第１箸部材１Ａの溝部２の内部から爪楊枝３を取り出す。上記の第１の食事の仕方の場合に於いて、爪楊枝３が溝部２内から取出されたときの箸１の状態を、図４に模式的に示す。
【００４２】
以上の様に、人は、箸１から容易に一体化されている爪楊枝３を箸１から分離することが出来る。
【００４３】
＜箸１の製造方法＞
箸１の各部は全てプラスチック製であるので、箸１の各部の構成に基づいて、対応する金型を作成した上で、射出成形法を行うことにより、簡単に箸１を量産することが出来る。
【００４４】
＜箸１のリサイクル＞
図５は、使用後の箸１の構成を模式的に示す、裏面側から眺めた際の斜視図である。第１箸部材１Ａは、頭部側に於いて、既述した溝部２、並びに、窪んだ第１凸部１ＣＡ及び第２凸部１ＣＢの各々を、備えている。この様な構造を備えた、使用後に廃棄された箸１を回収することで、回収後の箸１の各部はプラスチックより成るので、回収後の箸１を用いて射出成形を行うことで、図１乃至図３に例示した様な構造を有する、全部がプラスチック製の新たな箸１を作ることが出来る。この様に、本実施の形態に係る箸１の採用により、箸のリサイクル化を容易に行うことが出来、従って、箸のリサイクルを促進させることが可能となる。
【００４５】
＜箸１の利点＞
本実施の形態に係る箸１は上記の構成を備えるので、多くの利点が得られる。
【００４６】
（１）箸袋から箸１を取出す作業は極めて簡単・容易であり、その際に、爪楊枝１を落としてしまうこと、或いは、爪楊枝１を紛失してしまうことはない。
【００４７】
（２）爪楊枝３は第１箸部材１Ａに一体化されており、且つ、溝部２内に存在しているので、爪楊枝３の先端部３Ｅを指等の人の身体に刺してしまうことはない。
【００４８】
（３）箸１のリサイクル化を促進することができ、地球環境に対して優しい構造を箸１は有する。
【００４９】
（４）箸１の各部は全てプラスチックから成るため、箸１の製造に射出成形法を適用することが可能であり、しかも、箸１の各部に於けるプラスチックの量を低減化する構造を実現することも比較的に容易である。従って、箸１の製造の低コスト化を図ることも出来る。
【００５０】
（５）箸１の第１箸部材１Ａは窪んだ凹部１ＣＡ，１ＣＢを有するので、人は手の指で容易に溝部２内にある爪楊枝３の表面３Ｓを掴むことが出来る結果、爪楊枝３の溝部２からの取出しが簡単・容易である。
【００５１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００５２】
この発明は、例えば、お弁当等の食料品に、お箸袋に入れられて備えられているお箸に適用して好適である。
【符号の説明】
【００５３】
１  箸
１Ａ  第１箸部材
１Ｂ  第２箸部材
２  溝部
３  爪楊枝
４  第１突部
５  第２突部
６  第３突部
１ＣＡ  窪んだ第１凹部
１ＣＢ  窪んだ第２凹部
７  連結部
【図１】
2013198585.tif 000003
【図２】
2013198585.tif 000004
【図３】
2013198585.tif 000005
【図４】
2013198585.tif 000006
【図５】
2013198585.tif 000007
【図６】
2013198585.tif 000008
【図７】
2013198585.tif 000009
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
全体がプラスチックより成る第１箸部材と、
全体が前記プラスチックより成る第２箸部材と
を備え、
前記第１箸部材及び前記第２箸部材の何れか一方の箸部材は、
前記一方の箸部材の頭部側に位置する把持部に於ける最上面の部分より前記最上面に対向する前記把持部に於ける最下面の部分に至るまで前記把持部を貫通し且つ前記一方の箸部材の前記頭部から前記一方の箸部材の先端部に向かう長手方向に沿って延在している溝部と、
前記溝部の前記一方の箸部材の前記頭部側の第１端面上に配設されたプラスチック製の第１突部と、
前記溝部の前記第１端面と前記一方の箸部材の前記先端部側の前記溝部の第２端面間に位置する前記溝部の第１側面上に配設されたプラスチック製の第２突部と、
前記溝部の前記第１側面に対向する前記溝部の第２側面上に配設されたプラスチック製の第３突部と、
前記第１突部と結合した頭部と、その一部が前記第２突部と結合し且つその他部が前記第３突部と結合した側面部と、前記溝部の前記第２端面にその間の隙間を介して対向した先端部とを備えると共に、前記第１突部、前記第２突部及び前記第３突部の各々との結合により３点支持された状態に於いてその全体が前記溝部の内部に配設されているプラスチック製の爪楊枝と
を備えることを特徴とする箸。
【請求項２】
全体がプラスチックより成る第１箸部材と、
全体が前記プラスチックより成る第２箸部材と
を備え、
前記第１箸部材及び前記第２箸部材の何れか一方の箸部材は、
前記一方の箸部材の頭部側に位置する把持部に於ける最上面の部分より前記最上面に対向する前記把持部に於ける最下面の部分に至るまで前記把持部を貫通し且つ前記一方の箸部材の前記頭部から前記一方の箸部材の先端部に向かう長手方向に沿って延在している溝部と、
前記溝部の前記一方の箸部材の前記頭部側の第１端面上に配設されたプラスチック製の第１突部と、
前記溝部の前記第１端面と前記一方の箸部材の前記先端部側の前記溝部の第２端面間に位置する前記溝部の第１側面上に配設されたプラスチック製の第２突部と、
前記溝部の前記第１側面に対向する前記溝部の第２側面上に配設されたプラスチック製の第３突部と、
前記第１突部と結合した頭部と、その一部が前記第２突部と結合し且つその他部が前記第３突部と結合した側面部と、前記溝部の前記第２端面にその間の隙間を介して対向した先端部とを備えると共に、前記第１突部、前記第２突部及び前記第３突部の各々との結合により３点支持された状態に於いてその全体が前記溝部の内部に配設されているプラスチック製の爪楊枝と
を備える箸であって、
前記一方の箸部材は、
前記一方の箸部材の前記最上面と前記最下面とを繋ぐ第３側面部と、
前記一方の箸部材の前記最上面と前記最下面とを繋ぎ且つ前記一方の箸部材の前記第３側面部と対向する第４側面部と、
前記第３側面部の内で前記把持部に於ける前記最上面側の部分が、前記爪楊枝の前記側面部の内で前記爪楊枝の前記頭部側の第１部分が前記第３側面部の前方側から前記一方の箸部材を眺めた際に露出するまで、窪んで成る第１凹部と、
前記第４側面部の内で前記把持部に於ける前記最上面側の部分が、前記爪楊枝の前記側面部の内で前記第１部分に対向する側の第２部分が前記第４側面部の前方側から前記一方の箸部材を眺めた際に露出するまで、窪んで成る第２凹部と
を備えることを特徴とする箸。
【請求項３】
請求項２に記載の箸であって、
前記第１箸部材の頭部側部分と前記第２箸部材の頭部側部分とを繋ぐプラスチック製の連結部を
更に備えることを特徴とする箸。
【請求項４】
請求項３に記載の箸であって、
前記第１箸部材及び前記第２箸部材の各々の縦断面形状の各角部が斜め形状又はＲ形状の何れか一方の形状を有する
ことを特徴とする箸。
【請求項５】
請求項２乃至４の何れか１項に記載の箸であって、
前記第１箸部材及び前記第２箸部材の内の他方の箸部材は、
前記他方の箸部材の頭部側に位置する把持部に於ける最上面の部分に設けられた貫通又は非貫通の何れかの状態の溝部を
備えることを特徴とする箸。
【請求項６】
請求項２乃至４の何れか１項に記載の箸であって、
前記第１箸部材及び前記第２箸部材の内の他方の箸部材は、
側面部に設けられた複数の非貫通の穴部を
備えることを特徴とする箸。
【請求項７】
請求項２乃至４の何れか１項に記載の箸であって、
前記一方の箸部材の前記先端部及び他方の箸部材の先端部は、共に、
非貫通の複数の窪み部を
備えることを特徴とする箸。
【請求項８】
請求項２に記載の前記箸の前記一方の箸部材の前記第１凹部及び前記第２凹部の各々に手の対応する指先部をそれぞれ挿入して前記指先部で請求項１に記載の前記爪楊枝の表面を掴み、その状態に於いて、両指先部の力により前記爪楊枝と前記第１突部との結合、前記爪楊枝と前記第２突部との結合及び前記爪楊枝と前記第３突部との結合を切り離す工程と、
前記一方の箸部材の前記溝部から前記爪楊枝を取り出す工程と
を備えたことを特徴とする箸の取り扱い方法。
【請求項９】
全体がプラスチックより成る第１箸部材と、
全体が前記プラスチックより成る第２箸部材と
を備えた、リサイクルのために回収された使用済みの箸であって、
前記第１箸部材及び前記第２箸部材の何れか一方の箸部材は、
前記一方の箸部材の頭部側に位置する把持部に於ける最上面の部分より前記最上面に対向する前記把持部に於ける最下面の部分に至るまで前記把持部を貫通し且つ前記一方の箸部材の前記頭部から前記一方の箸部材の先端部に向かう長手方向に沿って延在している溝部と、
前記溝部の前記一方の箸部材の前記頭部側の第１端面上に配設されたプラスチック製の第１突部と、
前記溝部の前記第１端面と前記一方の箸部材の前記先端部側の前記溝部の第２端面間に位置する前記溝部の第１側面上に配設されたプラスチック製の第２突部と、
前記溝部の前記第１側面に対向する前記溝部の第２側面上に配設されたプラスチック製の第３突部と
を備えることを特徴とする箸。
【手続補正２】
【補正対象書類名】明細書
【補正対象項目名】００２３
【補正方法】変更
【補正の内容】
【００２３】
又、プラスチック製の第３突部６は、溝部２の第１端面２ＥＡと、第１箸部材１Ａの先端部１ＡＥＰ側の溝部２の第２端面２ＥＢとの間に位置する溝部２の第２側面２ＳＢ上に配設されている。溝部２の第２側面２ＳＢは、溝部２の第１側面２ＳＡに対向する側面である。本例では、後述する窪んだ形状の第２凹部１ＣＢの先端部１ＡＥＰ側の端部近傍の第２側面２ＳＢの部分上に、第３突部６は設けられている。本例では、爪楊枝３を安定して３点支持する際の好ましい一例として、第３突部６は第２突部５に対向している。但し、第２突部５の配設位置に対する第３突部６の配設位置は、本例に限定されるものではなくて相対的であって、第２側面２ＳＢ中のその他の部分に第３突部６が配設されていても良い。本例では、第３突部６の縦断面形状は、略台形状であるが、基本的には任意形状である。そして、第３突部６の先端部は、爪楊枝３の側面部３Ｓの内で溝２の第２側面２ＳＢ側に面した部分に結合されている。